(57)【特許請求の範囲】
【請求項１】
電話回線を通じて一の電話機と通信可能な他の電話機と，互いに通信可能な撮像装置において，
一の電話機から送信される電話番号データを，他の上記電話機を介して受信する受信手段，
上記受信手段によって受信した電話番号データに対応する画像データを，電話番号を表す電話番号データと画像を表す画像データとが互いに関連して記憶される記憶媒体から読み出す読み出し手段，および
上記読み出し手段によって読み出された画像データによって表される画像を表示する表示装置，
を備えた撮像装置。
【請求項２】
電話回線を通じて一の電話機と通信可能な他の電話機と，互いに通信可能な撮像装置において，
一の電話機から送信される電話番号データを，他の上記電話機を介して受信し，
受信した電話番号データに対応する画像データを，電話番号を表す電話番号データと画像を表す画像データとが互いに関連して記憶される記憶媒体から読み出し，
読み出された画像データによって表される画像を表示する，
撮像装置の制御方法。
【発明の詳細な説明】
【０００１】
【技術分野】
この発明は，電話回線を通じて他の電話機と通話可能な一の電話機と互いに通信可能な画像表示システムおよびその制御方法，画像表示システムおよびその制御方法ならびに電話回線を通じて電話機と通話可能な電話システムおよびその制御方法に関する。
【０００２】
【発明の背景】
電話回線を通じて相手の電話を発呼するときには，ボタンを押すことにより相手の電話の電話番号が入力される。また，あらかじめ電話番号を入力しておき，その入力されている電話番号の中から相手の電話番号を選択するものもある。いずれにしても通話する相手の電話番号を覚えておく必要がある。
【０００３】
また，電話を受ける着信側のユーザにおいては，電話番号着信サービスによりかかってきた相手の電話番号を受話器を外す前に確認することができる。しかし，この場合であっても表示されるのは電話番号であり，その電話番号がだれの電話番号かをあらかじめ覚えておかなければ，誰からかかってきた電話かを確認することはできない。
【０００４】
【発明の開示】
この発明は，比較的簡単に電話をかけるようにすることを目的とする。
【０００５】
また，この発明は，かかってきた電話の相手を比較的簡単に知ることを目的とする。
【０００６】
第１の発明は，電話回線を通じて他の電話機と通話可能な一の電話機と互いに通信可能な電話番号データ送信装置において，電話番号を表す電話番号データと画像を表す画像データとが互いに関連づけられて記憶される記憶媒体から画像データを読み出し，読み出された画像データによって表される画像を表示装置に表示する表示制御手段，上記表示装置に表示されている画像を指定する画像指定手段，および上記画像指定手段によって指定された画像に対応する電話番号データを一の上記電話機に送信する送信手段を備えていることを特徴とする。
【０００７】
第１の発明は，上記装置の制御方法も提供している。すなわち，この方法は，電話回線を通じて他の電話機と通話可能な一の電話機と互いに通信可能な電話番号データ送信装置において，電話番号を表す電話番号データと画像を表す画像データとが互いに関連づけられて記憶される記憶媒体から画像データを読み出し，読み出された画像データによって表される画像を表示装置に表示し，上記表示装置に表示されている画像を指定し，指定された画像に対応する電話番号データを一の上記電話機に送信するものである。
【０００８】
第１の発明によると，上記記憶媒体には，電話番号を表す電話番号データと画像を表す画像データとが互いに関連づけられて記憶される。上記記憶媒体から画像データが読み出され，画像データによって表される画像が上記表示装置に表示される。上記表示装置に表示されている画像の中から所望の画像が選択される。
【０００９】
選択された画像を表す画像データに対応する電話番号データが上記記憶媒体から読み出される。読み出された電話番号データが一の上記電話機に送信される。
【００１０】
一の上記電話機において，上記電話番号送信装置から送信された電話番号データが受信される。受信した電話番号データによって表される電話番号に，一の上記電話機によって電話がかけられる。
【００１１】
電話をかける電話番号を必ずしも覚えていなくとも電話番号に対応する画像（たとえば，相手の顔を表す画像）が分かれば電話をかけることができる。
【００１２】
好ましくは，被写体を撮像し，被写体像を表す画像データを出力する撮像手段をさらに備える。また，上記電話番号データによって表される電話番号が与えられる。そして，与えられた電話番号を表す電話番号データと撮像により得られた画像データとを関連づけて上記記憶媒体に記憶する。
【００１３】
被写体を撮像し，この撮像によって得られた画像を表す画像データが，対応する電話番号を表す電話番号データに関連づけられて上記記憶媒体に記憶させられる。
【００１４】
被写体を撮像でき，撮像により得られた画像データを電話番号データに関連づけて上記記憶媒体に記憶することができるので，比較的簡単に画像データを上記電話番号送信装置に登録することができる。たとえば，通話相手を撮像することにより通話相手の画像を登録することができる。
【００１５】
一の上記電話機から上記電話番号データが送信されることにより上記電話番号送信装置に電話番号が与えられるようにしてもよい。電話番号を表す電話番号データを登録することができる。
【００１６】
第２の発明は，電話回線を通じて電話機と通話可能な電話システムにおいて，電話回線を通じて電話機から送信される電話番号データを受信する受信手段，上記受信手段によって受信した電話番号データに対応する画像データを，電話番号を表す電話番号データと画像を表す画像データとが互いに関連して記憶される記憶媒体から読み出す読み出し手段，および上記読み出し手段によって読み出された画像データによって表される画像を表示装置に表示する表示制御手段を備えていることを特徴とする。
【００１７】
第２の発明は，上記システムに適した方法も提供している。すなわち，この方法は，電話回線を通じて電話機と通話可能な電話システムにおいて，電話回線を通じて電話機から送信される電話番号データを受信し，受信した電話番号データに対応する画像データを，電話番号を表す電話番号データと画像を表す画像データとが互いに関連して記憶される記憶媒体から読み出し，読み出された画像データによって表される画像を表示装置に表示するものである。
【００１８】
第２の発明は，電話回線を通じて電話機と通話可能な電話システムに関するものである。この電話システムを用いて，直接他の電話機のユーザと通話することができる。
【００１９】
第２の発明によると，電話番号を表す電話番号データと画像を表す画像データとが互いに関連して記憶媒体に記憶される。
【００２０】
電話機から電話がかかってくると，その電話機の電話番号を表す電話番号データが受信される。上記記憶媒体から受信した電話番号データに対応する画像データが読み出される。読み出された画像データによって表される画像が上記表示装置に表示される。
【００２１】
上記表示装置に表示された画像（たとえば，電話をかけてきた相手の顔の画像）を見ることにより，誰から電話がかかってきたかを一見して確認することができる。電話番号を覚えていなくとも電話をかけてきた相手を確認することができる。
【００２２】
第３の発明は，電話回線を通じて一の電話機と通話可能な他の電話機と，互いに通信可能な画像表示システムにおいて，一の電話機から送信される電話番号データを，他の上記電話機を介して受信する受信手段，上記受信手段によって受信した電話番号データに対応する画像データを，電話番号を表す電話番号データと画像を表す画像データとが互いに関連して記憶される記憶媒体から読み出す読み出し手段，および上記読み出し手段によって読み出された画像データによって表される画像を表示する表示装置を備えていることを特徴とする。
【００２３】
第３の発明は，上記システムに適した方法も提供している。すなわち，この方法は，電話回線を通じて一の電話機と通話可能な他の電話機と，互いに通信可能な画像表示システムにおいて，一の電話機から送信される電話番号データを，他の上記電話機を介して受信し，受信した電話番号データに対応する画像データを，電話番号を表す電話番号データと画像を表す画像データとが互いに関連して記憶される記憶媒体から読み出し，読み出された画像データによって表される画像を表示するものである。
【００２４】
第３の発明は，電話回線を通じて一の電話機と通話可能な他の電話機と，互いに通信可能な画像表示システムである。
【００２５】
一の電話機と他の電話機とが電話回線を通じて通話が可能である。一の電話機から他の電話機に電話をかけるときには，一の電話機の電話番号を表すデータが他の電話機に送信される。電話番号を表すデータが他の電話機において受信されると，その電話番号を表すデータが他の電話機から上記画像表示システムに送信される。上記画像表示システムにおいて電話番号を表すデータが受信される。
【００２６】
上記画像表示システムにおいて，電話番号を表すデータが受信されると，受信した電話番号を表すデータに対応する画像データが上記記憶媒体から読み出される。読み出された画像データによって表される画像が表示される。
【００２７】
上記表示装置に表示された画像（たとえば，電話をかけてきた相手の顔の画像）を見ることにより，誰から電話がかかってきたかを一見して確認することができる。電話番号を覚えていなくとも電話をかけてきた相手を確認することができる。とくに，一の電話機と直接通話する機能を有していなくとも電話をかけてきた相手を確認することができる。
【００２８】
【実施例の説明】
図１は，この発明の実施例を示すもので通話システムの概要を示している。
【００２９】
電話回線を通じて一方の通話システム70Ａと他方の通話システム70Ｂとの間で通話が可能である。
【００３０】
一方の通話システム70Ａは，ディジタル・スチル・カメラ１Ａと携帯電話60Ａとから構成されている。他方の通話システム70Ｂは，ディジタル・スチル・カメラ１Ｂと携帯電話60Ｂとから構成されている。
【００３１】
この実施例による通話システムにおいては，発呼する側の通話システムを構成するディジタル・スチル・カメラの表示装置に画像が表示される。表示された画像を指定することにより，指定された画像に対応する電話番号を表すデータがディジタル・スチル・カメラから携帯電話に送信される。携帯電話によって，受信した電話番号データによって表される電話番号を持つ電話（たとえば，他方の通話システムを構成する携帯電話60Ｂ）に電話がかけられる。着信側の通話システムを構成するディジタル・スチル・カメラの表示装置には発呼したユーザの画像が表示される。より詳細は，以下の説明によって明らかとなろう。
【００３２】
図２は，一方の通話システム70Ａを構成するディジタル・スチル・カメラ１Ａおよび携帯電話60Ａの外観を示している。ディジタル・スチル・カメラ１Ａは，背面から見た図であり，携帯電話１Ａは，正面から見た図である。
【００３３】
これらのディジタル・スチル・カメラ１Ａと携帯電話60Ａとは，ケーブル10によって接続されている。
【００３４】
ディジタル・スチル・カメラ１Ａの上面において左側には，シャッタ・レリーズ・ボタン２が形成されている。
【００３５】
ディジタル・スチル・カメラ１Ａの右上側には，モード設定ダイアル４が回転自在に形成されている。モード設定ダイアル４の左側には，指標６が形成されている。この指標６に所望のモードが位置決めされるようにモード設定ダイアル４がユーザによって回される。モードには，被写体を撮影する撮影モード，メモリ・カードに記録されている画像を再生する再生モード，電話番号を表わすデータをメモリ・カードに記憶する電話番号設定モード，電話番号を表すデータを携帯電話60Ａに送信する電話番号送信モードなどがある。
【００３６】
モード設定ダイアル４の内側には，上下左右キー５が設けられている。上下左右キー５には，上矢印，下矢印，右矢印および左矢印が押下可能に形成されている。
【００３７】
ディジタル・スチル・カメラ１の背面の左下の部分には，撮影した画像および再生した画像を表示するための表示画面７が形成されている。
【００３８】
表示画面７の下には，表示画面７をオンするときにユーザによって押される表示ボタン12，電源のオン／オフを制御する電源ボタン12およびメニュー画像を表示する，および実行指令を与えるためのメニュー／実行ボタン14が形成されている。
【００３９】
ディジタル・スチル・カメラ１Ａの左上部には光学的ビューファインダ３が形成されている。
【００４０】
携帯電話60Ａの上部には，他の携帯電話と通話するためのアンテナ61が形成されている。
【００４１】
携帯電話60Ａの前面の上部には，音声を出力するためのスピーカ62が設けられている。
【００４２】
スピーカ62の下には，液晶表示画面63が形成されている。この液晶表示画面63の下に，記憶されている電話番号を表示画面63に一覧表示するためにユーザによって押される電話帳ボタン51，設定指令を与えるときにユーザによって押される設定ボタン52およびメニューを液晶表示画面63に表示するときにユーザによって押されるメニュー・ボタン53が設けられている。
【００４３】
これらのボタン51，52および53の下には，上下左右ボタン54が設けられている。上下左右ボタン54上には，上矢印，下矢印，左矢印および右矢印が形成されている。これらの矢印上を押すことができる。これらの矢印上を押すことにより，どの矢印が押されたかを示す信号が入力される。また，上下左右ボタン54の中央を押すことも可能である。この中央の部分を押すことにより確定指令が入力される（確定ボタン50）。
【００４４】
上下左右ボタン54の下には，発呼ボタン55，クリア・ボタン56および切断ボタン57が形成されている。これらのボタン55，56および57の下にテン・キーパッド58が形成されている。
【００４５】
携帯電話60Ａの下部には音声を入力するためのマイクロフォン59が形成されている。
【００４６】
図３は，ディジタル・スチル・カメラ１Ａの電気的構成を示すブロック図である。
【００４７】
ディジタル・スチル・カメラ１Ａの全体の動作は，メインＣＰＵ20によって統括される。
【００４８】
ディジタル・スチル・カメラ１Ａには，上述したモード設定ダイアル４，上下左右ボタン５の他に電源ボタン13などの各種スイッチが含まれている。これらの各種スイッチ（スイッチ群37）からの指令を示す信号は，メインＣＰＵ20に入力する。また，上述したシャッタ・レリーズ・ボタン２の押し下げを示す信号もメインＣＰＵ20に入力する。
【００４９】
さらに，ディジタル・スチル・カメラ１Ａには，EEPROM38が含まれている。このEEPROM38には，電話番号を示すデータが記憶されている。
【００５０】
ディジタル・スチル・カメラ１Ａには電源回路45が含まれている。ディジタル・スチル・カメラ１Ａの電源ボタン13がオンされると，ディジタル・スチル・カメラ１Ａを構成する各回路に，電源回路45から電源が供給される。
【００５１】
ディジタル・スチル・カメラ１Ａには，充電／発光制御回路32により発光が制御されるストロボ33が含まれている。充電／発光制御回路32は，測光／測距ＣＰＵ31により制御される。
【００５２】
ディジタル・スチル・カメラ１Ａには，光学ユニット21が含まれている。この光学ユニット21には，フォーカシング・レンズ22および絞り23が含まれている。測光／測距ＣＰＵ31により，フォーカシング・レンズ22のレンズ位置および絞り23の絞り量が制御される。
【００５３】
光学ユニット21によって被写体を表す光像がＣＣＤ24上に結像する。
【００５４】
モード設定ダイアル４により撮影モードが設定されると，ＣＣＤ24から被写体像を表すＲＧＢの映像信号が出力し，白バランスおよびガンマ処理回路25に入力する。
【００５５】
ディジタル・スチル・カメラ１Ａには，クロック・ジェネレータ34が含まれており，このクロック・ジェネレータ34によりクロック・パルスが生成される。生成されたクロック・パルスが動作クロック・パルスとしてＣＣＤ24，白バランスおよびガンマ処理回路25ならびにアナログ／ディジタル変換回路26に入力する。
【００５６】
ＣＣＤ24から出力した映像信号は，白バランスおよびガンマ処理回路25において白バランス調整およびガンマ補正がそれぞれ行われる。白バランス調整およびガンマ補正された映像信号は，アナログ／ディジタル変換回路26に入力し，ディジタル画像データに変換される。
【００５７】
ディジタル画像データは，バッファ・メモリ27を介してＹＣ処理回路35に入力する。ＹＣ処理回路35において，ＲＧＢの画像データから輝度データＹおよび色差データＣが生成される。輝度データＹおよび色差データＣは，ＹＣ／ＲＧＢ変換回路42に入力し，ＲＧＢ画像データに戻される。
【００５８】
ＲＧＢ画像データがドライバ43を介して画像表示装置44に入力する。これにより，画像表示装置44の表示画面７上に撮影によって得られた被写体像が表示される。
【００５９】
シャッタ・レリーズ・ボタン２が押されると，上述のようにしてＹＣ処理回路35において生成された輝度データＹおよび色差データＣはバッファ・メモリ27に与えられ，一時的に記憶される。輝度データＹおよび色差データＣは，バッファ・メモリ27から読み出され，圧縮／伸長回路28に与えられ，データ圧縮が行われる。データ圧縮された輝度データおよび色差データがインターフェイス29を介してメモリ・カード30に与えられることにより，記録される。
【００６０】
さらに，ディジタル・スチル・カメラ１Ａには，携帯電話インターフェイス41が含まれている。この携帯電話インターフェイス41により，ディジタル・スチル・カメラ１Ａと携帯電話60Ａとが互いにデータ通信することができる。
【００６１】
また，ディジタル・スチル・カメラ１Ａには，パーソナル・コンピュータと接続するためのドライバ40も含まれている。
【００６２】
さらに，ディジタル・スチル・カメラ１Ａには，操作表示装置36が含まれている。この操作表示装置36の表示画面上に，操作状況が表示される。
【００６３】
ディジタル・スチル・カメラ１Ａは，再生機能も有している。モード設定ダイアル４により再生モードが設定されると，メモリ・カード30に記録されている画像データが読み出される。読み出された画像データは，インターフェイス29を介して圧縮／伸長回路28に入力する。圧縮／伸長回路28においてデータ伸長処理が行われる。データ伸長された画像データがＹＣ／ＲＧＢ変換処理回路42に入力し，ＲＧＢ画像データに変換される。変換されたＲＧＢ画像データがドライバ43を介して画像表示装置44に与えられることにより，表示画面７上にメモリ・カード30に記録されている画像データによって表される画像が表示される。
【００６４】
図４は，メモリ・カード30のデータ構造を示している。
【００６５】
メモリ・カード30には，管理データ記録領域とデータ記録領域とが含まれている。
【００６６】
データ記録領域には，画像データ記録領域と電話番号データ記録領域とが含まれている。
【００６７】
画像データ記録領域には，上述したように撮影によって得られた画像データ（パーソナル・コンピュータなどから取り込んでも良い）が記録される。電話番号データ記録領域には，画像データ記録領域に記録されている画像に対応した電話番号を表す電話番号データが記録される。たとえば，画像データ記録領域に記録されている画像がユーザの画像であれば，そのユーザの電話番号を表すデータがユーザの画像に対応して電話番号データ記録領域に記録される。
【００６８】
管理データ記録領域には，メモリ・カード30を管理するためのデータ，画像データ記録領域に記録されている画像と電話番号データ記録領域に記録されている電話番号との対応関係を示すデータなどが記録されている。
【００６９】
図５は，メモリ・カード30に記録されている画像とその画像に対応する電話番号とを関連づけるための処理手順を示すフローチャートである。図７は，表示画面７に表示される画像の一例を示している。
【００７０】
ディジタル・スチル・カメラ１Ａの電源がオンされ，モード設定ダイアル４により電話番号設定モードが設定される（ステップ81でＹＥＳ）。ディジタル・スチル・カメラ１Ａにメモリ・カード30が装着されていると（ステップ82でＹＥＳ），メモリ・カード30に記録されている電話番号データが読み出される（ステップ83）。
【００７１】
メモリ・カード30に記録されている電話番号データがインターフェイス29，圧縮／伸長回路28，ＹＣ／ＲＧＢ変換処理回路42およびドライバ43を介して画像表示装置44に与えられる。すると，画像表示装置44の表示画面７の右側に図７に示すようにメモリ・カード30に記録されている電話番号データによって表される電話番号が一覧で表示される（ステップ84）。
【００７２】
一覧表示されている電話番号のうち，一の電話番号がフレームＦ１によって囲まれている。このフレームＦ１は，上下左右ボタン５の上矢印が一回押されることにより一つ上の電話番号を囲むように移動する。また，上下左右ボタン５の下矢印が一回押されることにより一つ下の矢印の電話番号を囲むように移動する。
【００７３】
ユーザによりメニュー／実行ボタン14が押されることにより，フレームＦ１によって囲まれている電話番号が選択されたこととなる（ステップ85）。
【００７４】
ユーザによってディジタル・スチル・カメラ１Ａが構えられ，シャッタ・レリーズ・ボタン２が押されることにより，選択された電話番号をもつ被写体が撮像される（ステップ86）。被写体が撮像されることにより，図６の表示画面７の左側に示すように，被写体像が表示画面７の左側に表示される。被写体像を表す画像データは，上述したようにメモリ・カード30の画像データ記録領域に記録される（ステップ87）。
【００７５】
撮像によって得られた画像データと選択された電話番号を表すデータとを関連づけるためのデータが，メモリ・カード30の管理データ記録領域に記録される（ステップ88）。
【００７６】
以上のようにして，画像を表す画像データとその画像に対応する電話番号を表すデータとが関連づけられる。上述した例では，電話番号を選択し，その選択した電話番号をもつユーザを撮像しているが，画像データおよび電話番号データをあらかじめメモり・カード30に記録しておき，電話番号を選択し，選択した電話番号に対応するユーザの画像を再生して画像と電話番号とを互いに関連づけるようにしてもよい。
【００７７】
また，メモリ・カード30に記録される電話番号データは，EEPROM38に記録されているデータが読み出されてメモリ・カード30に与えられるのはいうまでもない。さらに，携帯電話60Ａに記憶されている電話番号を表すデータを携帯電話インターフェイス41を介して取り込み，メモリ・カード30に記録するようにしてもよい。
【００７８】
図７は，一方の通話システム70Ａから他方の通話システム70Ｂに電話をかけるときのディジタル・スチル・カメラ１Ａの処理手順を示すフローチャートである。図８は，一方の通話システム70Ａを構成するディジタル・スチル・カメラ１Ａの表示画面７に表示される画像の一例である。
【００７９】
モード設定ダイアル４により，ディジタル・スチル・カメラ１Ａが電話番号送信モードに設定される（ステップ90でＹＥＳ）。
【００８０】
まず，携帯電話60Ａとディジタル・スチル・カメラ１Ａとが接続されているかどうかが判定される（ステップ91）。携帯電話60Ａとディジタル・スチル・カメラ１Ａとが接続されていると（ステップ91でＹＥＳ），メモリ・カード30に記録されている画像データが読み出される。図８に示すように，読み出された画像データによって表される画像の縮小画像（縮小画像の生成処理は，メインＣＰＵ20によって行われる）が表示画面７上に一覧で表示される（ステップ92）。
【００８１】
表示画面７には，一覧表示された縮小画像のうち，一の縮小画像を囲むようにフレームＦ２が表示される。このフレームＦ２は，上下左右ボタン５の上矢印が押されることにより，現在囲っている縮小画像の上の縮小画像を囲み，下矢印が押されることにより，現在囲っている縮小画像の下の縮小画像を囲む。また，上下左右ボタン５の右矢印が押されることにより，フレームＦ２は現在囲っている縮小画像の右の縮小画像を囲み，上下左右ボタン５の左矢印が押されることにより，フレームＦ２は，現在囲っている縮小画像の左の縮小画像を囲む。
【００８２】
表示画面７には，「Ｃａｌｌ」領域72も含まれている。この「Ｃａｌｌ」領域72は，電話番号データを，ディジタル・スチル・カメラ１Ａから携帯電話60Ａに送信されるときにユーザによってタッチされる（発信先選択，ステップ93）。この「Ｃａｌｌ」領域72がタッチされたことにより，フレームＦ２が囲んでいる画像に対応する電話番号データがメモリ・カード30において検索される（ステップ94）。表示画面７にはタッチパネルが形成されており，「Ｃａｌｌ」領域72がタッチされたことを示す信号がメインＣＰＵ20に入力されるのはいうまでもない。
【００８３】
電話番号検索の結果，フレームＦ２により囲まれている画像に対応する電話番号データがメモリ・カード30において見つかると，その電話番号データがメモリ・カード30から読み出される。読み出された電話番号データは，インターフェイス29，圧縮／伸長回路28および携帯電話インターフェイス41を介して携帯電話60Ａに送信される（ステップ95）。もちろん，携帯電話60Ａの発呼ボタン55が押されたことにより電話をかける処理を行なってもよい。
【００８４】
携帯電話60Ａにおいて，ディジタル・スチル・カメラ１Ａから送信された電話番号データが受信されると，その受信した電話番号データによって表される電話番号に携帯電話60Ａによって電話がかけられる。もちろん，携帯電話60Ａの発呼ボタン55が押されたことにより電話をかける処理を行なってもよい。
【００８５】
携帯電話60Ａにおいて電話番号を指定することなく，所望の相手に電話をかけることができる。画像を選択して電話番号を指定することができるので，相手の電話番号を覚えておく必要もない。
【００８６】
図９は，着信側の通話システム70Ｂを構成するディジタル・スチル・カメラ１Ｂの処理手順を示すフローチャートである。図10は，ディジタル・スチル・カメラ１Ｂの表示画面７（ディジタル・スチル・カメラ１Ｂの表示画面もディジタル・スチル・カメラ１Ａの表示画面と同じ符号を用いる）の一例を示している。
【００８７】
着信側の通話システム70Ｂを構成する携帯電話60Ｂとディジタル・スチル・カメラ１Ｂとが接続されているかどうかが判定される（ステップ101 ）。携帯電話60Ｂとディジタル・スチル・カメラ１Ｂとが接続されていると（ステップ101 でＹＥＳ），ディジタル・スチル・カメラ１Ｂと接続されている携帯電話60Ｂから着信通知があるかどうかが判定される（ステップ102 ）。
【００８８】
携帯電話60Ｂに電話がかかってくると，その電話をかけた相手の電話番号を表すデータが携帯電話60Ｂに与えられる。携帯電話60Ｂに着信があると，着信した電話番号を表すデータが携帯電話60Ｂからディジタル・スチル・カメラ１Ｂに送信される。
【００８９】
ディジタル・スチル・カメラ１Ｂにおいて，受信した電話番号データによって表される電話番号と同じ電話番号を表すデータがメモリ・カードにおいて検索される（ステップ103 ）。検索の結果，対応する電話番号を表すデータがメモリ・カードから見つかると，見つかった電話番号データに対応する画像を表す画像データがメモリ・カードにおいて検索される（ステップ104 ）。画像データが見つかると，その見つけられた画像データがメモリ・カードから読み出され，上述したのと同様にしてディジタル・スチル・カメラの画像表示装置に与えられる。すると，図10に示すように画像表示装置の表示画面７に，着信側の通話システムを構成する携帯電話60Ｂに電話をかけてきたユーザの画像が表示される。
【００９０】
電話をかけてきた相手の画像（たとえば，相手を表す被写体像）が表示されるので，どの相手から電話がかかってきたかが一見して分かるようになる。電話をかけた相手を確認してから通話することができるようになる。
【図面の簡単な説明】
【図１】通話システムの概要を示している。
【図２】通話システムを構成するディジタル・スチル・カメラと携帯電話とを示している。
【図３】ディジタル・スチル・カメラの電気的構成を示すブロック図である。
【図４】メモリ・カードのデータ構造を示している。
【図５】画像データと電話番号データとを関連づける処理手順を示すフローチャートである。
【図６】表示画面に表示される画像の一例を示している。
【図７】電話の発呼の処理手順を示すフローチャートである。
【図８】表示画面に表示される画像の一例を示している。
【図９】電話の着信の処理手順を示すフローチャートである。
【図１０】表示画面に表示される画像の一例を示している。
【符号の説明】
１Ａ，１Ｂ  ディジタル・スチル・カメラ
７  表示画面
20  メインＣＰＵ
24  ＣＣＤ
30  メモリ・カード
41  携帯電話インターフェイス
44  画像表示装置
60Ａ，60Ｂ  携帯電話
70Ａ，70Ｂ  通話システム
【図１】
0004264170.tif 000002
【図２】
0004264170.tif 000003
【図３】
0004264170.tif 000004
【図４】
0004264170.tif 000005
【図５】
0004264170.tif 000006
【図６】
0004264170.tif 000007
【図７】
0004264170.tif 000008
【図８】
0004264170.tif 000009
【図９】
0004264170.tif 000010
【図１０】
0004264170.tif 000011